(57)【要約】【課題】  容易にロック装置を取付けることができると共に厳格な施錠ができる遊技機を提供する。【解決手段】  遊技機本体１の前側に開閉自在に取付けられた扉体２を施錠する施錠機構３をロックするロック装置４を設けた遊技機において、施錠機構３は、施錠位置Ａと解錠位置Ｂとの間を上下に移動できるように設けられたフック体５と、鍵６の操作に連動して前記フック体５を上下動させるカム片７を有するシリンダ錠８と、前記フック体５が施錠位置Ａに移動した際にそのフック部９と係合するフック係止部１０とを備え、ロック装置４は、前記カム片７の動作を妨げるロック片１１を前記カム片７の動作に干渉する干渉位    置Ｃと干渉しない解放位置Ｄに移動させるアクチュエータ１２とを備える。【選択図】  図２
2006161366.tif 000002
【特許請求の範囲】
【請求項１】
遊技機本体の前側に開閉自在に取付けられた扉体を施錠する施錠機構をロックするロック装置を設けた遊技機において、施錠機構は、施錠位置と解錠位置との間を上下に移動できるように設けられたフック体と、鍵の操作に連動して前記フック体を上下動させるカム片を有するシリンダ錠と、前記フック体が施錠位置に移動した際にそのフック部と係合するフック係止部とを備え、ロック装置は、前記カム片の動作を妨げるロック片を前記カム片の動作に干渉する干渉位置と干渉しない解放位置に移動させるアクチュエータとを備えたことを特徴とする遊技機。
【請求項２】
アクチュエータを支持する支持部材は、シリンダ錠を扉体に固定するためのビスによって扉体に取付けられた請求項１記載の遊技機。
【請求項３】
アクチュエータと支持部材との連結にピンが用いられ、アクチュエータと支持部材の双方に前記ピンが係合した場合にアクチュエータは支持部材に支持され、アクチュエータと支持部材の少なくとも一方から前記ピンを係合解除させた場合にアクチュエータは支持部材から離脱し、かつ前記ピンの一端にこれを前記係合状態から前記係合解除状態にさせるピン係合解除手段が接続された請求項２記載の遊技機。
【請求項４】
アクチュエータまたはロック片に位置センサを備えた請求項１から３のいずれかに記載の遊技機。
【請求項５】
フック体またはフック部に位置センサを備えた請求項１から４のいずれかに記載の遊技機。
【請求項６】
アクチュエータは、ステッピングモータからなる請求項１から５のいずれかに記載の遊技機。
【請求項７】
遊技機本体の前側に開閉自在に取付けられた扉体を施錠する施錠機構をロックするロック装置を設けると共に、ロック装置のアクチュエータのみを遠隔駆動する携帯リモコン装置およびその受信装置を有する遊技機の防犯システムであって、
前記携帯リモコン装置は、アクチュエータを作動させるためのスイッチと、前記スイッチのＯＮ操作により、特定のコード信号で変調された電磁波を発信する変調送信手段とを備え、前記受信装置は、前記携帯リモコン装置からの電磁波を受信して、受信した電磁波の中からコード信号のみを取り出す受信復調手段と、取り出したコード信号と予め記憶されている識別コードとを比較して両者が一致している場合にアクチュエータを作動させる作動信号を出力するコード比較作動信号出力手段とを備えたことを特徴とする遊技機の防犯システム。
【請求項８】
携帯リモコン装置は、任意の数字、文字又は記号を入力できる入力手段が備えられ、前記入力手段からの入力に基づいて任意のコード信号を生成する請求項７記載の遊技機の防犯システム。
【請求項９】
電磁波は、光又は電波からなる請求項７または８記載の遊技機の防犯システム。
【発明の詳細な説明】
【技術分野】
【０００１】
本発明は、パチンコやパチスロ等の遊技機に関し、特に扉体を施錠する施錠装置をロックするロック装置を備えた遊技機およびその防犯システムに関するものである。
【背景技術】
【０００２】
パチンコやパチスロ等の遊技機には、遊技機本体の前側に、整備等を行なう場合に開放できる扉体が設けられている。この扉体は、遊技機本体の筐体枠に開閉自在に設けられており、また、この扉体が遊戯中等不用意に開放しないように施錠機構が設けられている。この施錠機構は、施錠位置と解錠位置との間を移動できるように扉体に設けられたフック部と、このフック部を鍵の操作に連動して施錠・解錠位置間を移動させるフック移動機構と、遊技機本体の筐体枠に設けられたフック係止部とからなり、フック部がフック係止部に係止されることにより扉体の開放動作を規制し、フック部がフック係止部から外れることによりこの規制を解除する構成のものであった。
【０００３】
また従来より、扉体の不正開放を防止するために、施錠機構を２重にロックすることで厳格なセキュリティー対策を講じた遊技機が種々提案されていた。例えば特許文献１に記載されたものは、施錠機構のフックの離脱動作を妨げることを目的として、電磁ソレノイドで駆動されるロック装置を備え、このロック装置は、扉体施錠時に係合した状態にあるフックに、ロック片を当接させておくことで、フックの離脱動作を妨げるものであり、またこのロック片を電磁ソレノイドで移動させて、フックの離脱を可能とするものであった。また、特許文献２に記載されたものは、特許文献１と同様目的でロック装置を備え、このロック装置は、形状記憶合金からなるロック片から構成されており、ロック片の形状記憶による変位を利用することで、施錠機構のフックの離脱動作を規制または規制の解除をするものであった。さらに他の従来例としては、図８に示すように、ワイヤ３１およびワイヤ巻取装置（図示せず）を備え、扉体３２を施錠する場合は、ワイヤ巻取装置によりワイヤ３１を巻取り状態に維持させ、例え施錠機構３３を解除してもワイヤ３１により物理的に扉体３２を開放しないようにロックし、また扉体３２を開放する場合は、ワイヤ巻取装置によるワイヤ巻取り状態を解除させて、施錠機構３３を解除することによってなされるものであった。
【特許文献１】特開平１１−５７１７３号公報
【特許文献２】特開２００２−１８６７５８号公報
【発明の開示】
【発明が解決しようとする課題】
【０００４】
しかしながら、従来の遊技機にロック装置等を取付ける場合、施錠機構の構成、特にフック体の形状が遊技機メーカー毎或いは機種毎に異なるため、遊技機本体内や扉体にロック片や電磁ソレノイドを取付ける作業が極めて煩雑で、容易にできないという問題点があった。
【０００５】
また、図８に示す従来の遊技機では、使用すればするほどワイヤが延びたり、ワイヤ巻取装置の固定が甘くなることから、強靭な力で強制的に扉体を開放することが可能であるという問題点を有していた。
【０００６】
本発明は、上記問題点に鑑み、容易にロック装置を取付けることができると共に厳格な施錠ができる遊技機およびその防犯システムを提供することを目的とする。
【課題を解決するための手段】
【０００７】
本発明は上記目的を達成するため、遊技機本体の前側に開閉自在に取付けられた扉体を施錠する施錠機構をロックするロック装置を設けた遊技機において、施錠機構は、施錠位置と解錠位置との間を上下に移動できるように設けられたフック体と、鍵の操作に連動してフック体を上下動させるカム片を有するシリンダ錠と、フック体が施錠位置に移動した際にそのフック部と係合するフック係止部とを備え、ロック装置は、カム片の動作を妨げるロック片をカム片の動作に干渉する干渉位置と干渉しない解放位置に移動させるアクチュエータとを備えたことを特徴とする。
【０００８】
現在、フック体の形状は遊技機メーカー毎或いは機種毎に異り多種存在するが、シリンダ錠は統一されており、またそのカム片も同等形状に形成されている。このようなことから、シリンダ錠のカム片の動作を妨げることによって施錠機構をロックするロック装置を構成すると、多種多様の遊技機に対してロック装置の取付が容易となる。つまり本発明によれば、施錠機構をロックするロック装置を、シリンダ錠のカム片の回動をアクチュエータにて移動されるロック片で妨げる構成にすることにより、多種多様の遊技機に対して取付が容易にできる。
【０００９】
また、上記構成において、アクチュエータを支持する支持部材は、シリンダ錠を扉体に固定するためのビスによって扉体に取付けられた構成にすると、シリンダ錠を扉体に固定するビスを用いて、アクチュエータおよびその支持部材を固定するため、遊技機本体や扉体に支持部材の取付用穴を穿孔する等の加工が省略でき、ロック装置を遊技機本体に容易に取付けることができる。
【００１０】
また、上記構成において、アクチュエータと支持部材との連結にピンが用いられ、アクチュエータと支持部材の双方に前記ピンが係合した場合にアクチュエータは支持部材に支持され、アクチュエータと支持部材の少なくとも一方から前記ピンを係合解除させた場合にアクチュエータは支持部材から離脱し、かつ前記ピンの一端にこれを前記係合状態から前記係合解除状態にさせるピン係合解除手段が接続された構成にすると、例えばアクチュエータの故障等によりロック片が移動せず、ロック片がカム片の回動を妨げる状態が維持されて、施錠機構のロックを解除することができないという非常事態の場合でも、ピン係合解除手段によりピンの係合を解除することで、アクチュエータおよびカム片が支持部材より離脱し、ロック片によるカム片の回動の妨げ状態も解除されることとなり、施錠機構のロックを解除できる。
【００１１】
また、アクチュエータまたはロック片に位置センサを備えると良い。これにより、アクチュエータが作動することなく扉体を開放しようとした場合、つまり施錠機構がロック装置によりロックされた状態において、無理矢理、鍵操作によりフック部を解除位置に移動させようとした場合、シリンダ錠のカム片がロック片を押圧することで、ロック片あるいはアクチュエータの位置ずれが発生する。そしてこの位置ずれを位置センサにより検出し、これを管理・警報することで、扉体フック体またはフック部に位置センサを備えたの不正開放に対するセキュリティを向上させることができる。
【００１２】
また、フック体またはフック部に位置センサを備えると良い。これにより、鍵を操作することなく扉体を開放しようとした場合、つまり施錠機構がロックされた状態において、無理矢理、不正開放器具を用いてフック部を解除位置に移動させようとした場合、このフック体あるいはフック部の位置ずれを位置センサにより検出し、これを管理・警報することで、扉体の不正開放に対するセキュリティを向上させることができる。
【００１３】
なお上記構成において、アクチュエータはステッピングモータであることが好ましい。
【００１４】
さらに、厳格な施錠と迅速な解除が可能な遊技機の防犯システムとして、遊技機本体の前側に開閉自在に取付けられた扉体を施錠する施錠機構をロックするロック装置を設けると共に、ロック装置のアクチュエータのみを遠隔駆動する携帯リモコン装置およびその受信装置を有する遊技機の防犯システムであって、前記携帯リモコン装置は、アクチュエータを作動させるためのスイッチと、前記スイッチのＯＮ操作により、特定のコード信号で変調された電磁波を発信する変調送信手段とを備え、前記受信装置は、前記携帯リモコン装置からの電磁波を受信して、受信した電磁波の中からコード信号のみを取り出す受信復調手段と、取り出したコード信号と予め記憶されている識別コードとを比較して両者が一致している場合にアクチュエータを作動させる作動信号を出力するコード比較作動信号出力手段とを備えたことを特徴とする。
【００１５】
本発明によれば、扉体を施錠する場合、施錠機構による施錠に加え携帯リモコン装置のスイッチ操作によりロック装置のアクチュエータを作動させ施錠機構をロックすることにより扉体の厳格な施錠が可能となり、また扉体を開放する場合、遊技機の近傍から携帯リモコン装置を操作することでロック装置のアクチュエータを作動させ施錠機構のロックを解除し、施錠機構による施錠を解除することで扉体の迅速な解錠ができる。具体的には、ホール等の管理者が遊技機の扉体を開放する場合、携帯リモコン装置のスイッチを操作することで、変調送信手段において、特定のコード信号でされた電磁波が携帯リモコン装置から発信する。そして遊技機本体に設けた受信装置は、受信復調手段において前記電磁波を受信し、この中からコード信号を取り出し、コード比較作動信号出力手段において、予め記憶されている識別コードと前記コード信号とが一致するか否かを比較し、一致している場合にはアクチュエータに作動信号を出力する。これにより施錠機構はアクチュエータによるロックを解除されることとなって、管理者は鍵により施錠機構を解放して扉体を開放することができる。また扉体を施錠する場合、管理者の鍵の操作により施錠機構を施錠して、携帯リモコン装置のスイッチの操作により、アクチュエータを遠隔操作して、施錠機構をロックすることにより扉体を施錠することができる。
【００１６】
なお、携帯リモコン装置について、任意の数字、文字又は記号を入力できる入力手段を備え、この入力手段からの入力に基づいて任意のコード信号を生成する構成にすると、より好ましい。また、電磁波は、光又は電波からなると好ましい。
【発明の効果】
【００１７】
本発明によれば、シリンダ錠のカム片の回動をアクチュエータにより移動されるロック片により妨げることによって施錠機構をロックするロック装置を構成にすることにより、ロック装置を多種多様の遊技機に容易に取付けることができ、汎用性に優れることができる。さらに、アクチュエータの支持部材が、シリンダ錠を扉体に固定するためのビスにより取り付ける構成にすることにより、ロック装置を遊技機本体に容易に取り付けることができる。また、アクチュエータと支持部材との連結にピンを用い、ピン係合解除手段によりピンの係合を解除できるように構成することで、非常事態において、アクチュエータおよびカム片を離脱させ、施錠機構のロックを解除し、扉体を開放することができる。また、フック体またはフック部に位置センサを備えると良い。これにより、鍵を操作することなく扉体を開放しようとした場合、つまり施錠機構がロックされた状態において、無理矢理、不正開放器具を用いてフック部を解除位置に移動させようとした場合、このフック体あるいはフック部の位置ずれを位置センサにより検出し、これを管理・警報することで、扉体の不正開放に対するセキュリティを向上させることができる。また、アクチュエータまたはロック片に位置センサを備えることにより、施錠機構がロック装置によりロックされた状態において、無理矢理、鍵操作によりフック部を解除位置に移動させようとした場合、シリンダ錠のカム片がロック片を押圧することによって、ロック片あるいはアクチュエータに位置ずれが発生し、この位置ずれを位置センサにより検出して管理・警報することで、扉体の不正開放に対するセキュリティを向上させることができる。
【００１８】
さらに遊技機の防犯システムにおいて、扉体を施錠する場合、施錠機構による施錠に加え携帯リモコン装置のスイッチ操作によりロック装置のアクチュエータを作動させ施錠機構をロックすることにより扉体の厳格な施錠が可能となり、また扉体を開放する場合、遊技機の近傍から携帯リモコン装置を操作することでロック装置のアクチュエータを作動させ施錠機構のロックを解除し、施錠機構による施錠を解除することで扉体の迅速な解錠ができる
【発明を実施するための最良の形態】
【００１９】
以下に、本発明の実施形態を図１〜図７に基づいて詳細に説明する。
【００２０】
本実施形態の遊技機は、パチスロ（図１参照。）やパチンコ（図７参照。）であって、図１、図７に示すように、遊技機本体１の前側に開閉自在に取付けられた扉体２を施錠する施錠機構３をロックするロック装置４を設けた遊技機であり、施錠機構３は、図２に示すように、施錠位置Ａと解錠位置Ｂとの間を上下に移動できるように設けられた長板状のフック体５と、鍵６の操作に連動して前記フック体５を上下動させるカム片７を有するシリンダ錠８と、前記フック体５が施錠位置Ａに移動した際にそのフック体５の上下に一体形成されたフック部９と係合するフック係止部１０とを備え、ロック装置４は、図３に示すように、前記カム片７の動作を妨げるロック片１１を前記カム片７の動作に干渉する干渉位置Ｃと干渉しない解放位置Ｄに移動させるアクチュエータ１２とを備えている。
【００２１】
前記シリンダ錠８には、図２〜図４に示すように、表面に鍵穴１５を有し、内面の軸部にカム片７が形成されている。また、前記フック体５には、そのほぼ中央に前記カム片７が当接するようにカム係合部１３が形成されており、フック体５の上下にはこれを常時下方に付勢させるスプリング１４が取付けられている。
【００２２】
そして、施錠機構３は、シリンダ錠８の鍵穴１５に差し込まれた鍵６の操作によってカム片７が回動すると、カム片７がフック体５のカム係合部１３を押上げ、フック体５はスプリング１４の付勢力に抗して上方に移動させる。このときフック部９はフック係合部１０との係合が解除される解錠位置Ｂに移動する。また鍵６を鍵穴１５から差し抜くと、フック体５はスプリング１４の付勢力により押し下げられ、カム係合部１３の下動に伴ってカム片７を初期位置に回動させ、またフック部９はフック係合部１０と係合する施錠位置Ａに移動する。
【００２３】
なお、フック部９の上方に位置センサ３０を備えている。この位置センサ３０は、メカ式マイクロスイッチセンサからなり、これにより、鍵６を操作することなく扉体２を開放しようとした場合、つまり施錠機構３がロックされた状態において、無理矢理、不正開放器具（図示せず。）を用いてフック部９を解除位置Ｂに移動させようとした場合、フック部９の位置ずれを位置センサ３０により検出し、これを管理・警報することで、扉体２の不正開放に対するセキュリティを向上させることができる。
【００２４】
前記アクチュエータ１２はステッピングモータからなり外部からの電気信号に基づいて作動する。そして、図３、図４に示すように、アクチュエータ１２は縦断面コ字状の支持部材１６に支持されており、この支持部材１６はシリンダ錠８を扉体２に固定するためのビス１７によって扉体２に取付けられている。なお図２において、この支持部材１６を省略している。そして、アクチュエータ１２と支持部材１６との連結にピン１８が用いられ、アクチュエータ１２と支持部材１６の双方に前記ピン１８が係合した場合にアクチュエータ１２は支持部材１６に支持され、アクチュエータ１２と支持部材１６の少なくとも一方から前記ピン１８を係合解除させた場合にアクチュエータ１２は支持部材１６から離脱する。そして、ピン１８の一端にこれを前記係合状態から前記係合解除状態にさせるピン係合解除手段２０が接続され、このピン係合解除手段２０は、ワイヤ１９とワイヤ巻取装置（図示せず）から構成されている。この構成により、例えばアクチュエータ１２が故障等により作動しなくなった非常事態の場合でも、ピン係合解除手段２０によりピン１８の係合を解除することで、アクチュエータ１２およびカム片７は離脱し、施錠機構３のロックを解除できるようになり、扉体２を開放することができる。なお、ピン係合解除手段２０をワイヤ１９とワイヤ巻取装置に替えてソレノイドによって構成しても良い。
【００２５】
前記ロック片１１は、前記カム片７の回動を阻止するもので、アクチュエータ１２に取付けられた円柱棒体であって、カム片７の動作を妨げる干渉位置Ｃと妨げない解放位置Ｄとの間を移動する。また、ロック片１１の先端には、位置センサ２１が備えられている。これにより、アクチュエータ１２を作動させることなく扉体２を開放しようとした場合、つまり施錠機構３がロック装置４によりロックされた状態において、無理矢理、鍵６の操作によりフック部９を解除位置Ｂに移動させようとした場合、シリンダ錠８のカム片７がロック片１１を押圧することで、ロック片１１が位置ずれを起す。そしてこの位置ずれを位置センサ２１により検出し、これを管理・警報することで、扉体２の不正開放に対するセキュリティを向上させることができる。なおこの位置センサ２１は、歪センサ、圧電素子、メカスイッチ、マイクロスイッチ、ソードスイッチが好適である。またこの位置センサ２１は、アクチュエータ１２に備えても良い。
【００２６】
そして、ロック装置４は、外部からの電気信号（詳しくは後述する。）に基づいてアクチュエータ１２が作動し、ロック片１１を干渉位置Ｃに移動させ、シリンダ錠８のカム片７の回動を妨げることで施錠機構３をロックする。また外部からの電気信号に基づいてアクチュエータ１２が作動し、ロック片１１を解放位置Ｄに移動させ、シリンダ錠８のカム片７の回動を解放することで施錠機構３のロックを解除する。
【００２７】
次に、上記実施形態の遊技機の防犯システムについて説明する。
【００２８】
まず、防犯システムの背景と従来例の課題から説明する。遊技機の扉体２の開放は、遊技機の整備を行なう場合の他、例えば遊技中、遊技機内にパチンコ玉が詰まりこれを取り除く場合や、遊技中、遊技機内に払出し用メダルが不足しこれを補充する場合に、扉体２を開放することがある。これらのような場合、遊技者に不快感を与えないようにするために、迅速に扉体２を開放し対処することが求められている。このため従来から遊技機の施錠機構３に迅速な解錠が求められていた。一方、最近では、遊技機の施錠を不正に解錠してパチンコ玉やメダルを大量に払い出そうとする者が現れるようになり、悪質な場合、深夜や定休日に店内に忍び込み、合鍵などを使って扉体２を開け、大量のメダル等を自動的、継続的に払い出すための裏ＲＯＭを遊技機内に取り付ける者が現れた。このため遊技機の施錠機構３に厳格な施錠が求められていた。
【００２９】
しかしながら、特許文献１または特許文献２に記載の遊技機では、扉体を開放する場合、遊技機の扉体を鍵を用いて開放する前に、遊技機から離れた場所に配置されたロック片作動制御本体を操作する必要が有るため、「迅速な解錠」ができないという問題点を有していた。
【００３０】
そこで、本発明は、迅速な解錠ができると共に厳格な施錠ができる遊技機の防犯システムを提案する。
【００３１】
本実施形態の遊技機の防犯システムは、遊技機本体１の扉体２を施錠する施錠機構３をロックするロック装置４を設けると共に、ロック装置４のアクチュエータ１２のみを遠隔駆動する携帯リモコン装置２２およびその受信装置２３を有するシステムである。前記携帯リモコン装置２２は、図５に示すように、アクチュエータ１２を作動させるためのスイッチ２４と、前記スイッチ２４のＯＮ操作により、特定のコード信号で変調された赤外線信号を発信する変調送信手段２５とを備えている。また、前記受信装置２３は、図６に示すように、前記携帯リモコン装置２２からの赤外線信号を受信して、受信した赤外線の中からコード信号のみを取り出す受信復調手段２６と、取り出したコード信号と予め記憶されている識別コードとを比較して両者が一致している場合にアクチュエータ１２を作動させる作動信号を出力するコード比較作動信号出力手段２７とを備えている。なお携帯リモコン装置２２と受信装置２３との無線信号を赤外線に替えて電波にしてもよく、また電磁波であれば良い。また携帯リモコン装置２２は、任意の数字、文字又は記号を入力できる入力手段が備えられ、前記入力手段からの入力に基づいて任意のコード信号を生成する構成にしても良い。
【００３２】
遊技機の防犯システムによれば、扉体２を施錠する場合、施錠機構３による施錠に加え携帯リモコン装置２２のスイッチ２４の操作によりロック装置４のアクチュエータ１２を作動させ施錠機構３をロックすることにより扉体２の厳格な施錠が可能となり、また扉体２を開放する場合、遊技機の近傍から携帯リモコン装置２２を操作することでロック装置４のアクチュエータ１２を作動させ施錠機構３のロックを解除し、施錠機構３による施錠を解除することで扉体２の迅速な解錠ができる。具体的には、ホール等の管理者が遊技機の扉体２を開放する場合、携帯リモコン装置２２のスイッチ２４を操作することで、変調送信手段２５において、特定のコード信号でされた電磁波が携帯リモコン装置２２から発信する。そして遊技機本体１に設けた受信装置２３は、受信復調手段２６において前記電磁波を受信し、この中からコード信号を取り出し、コード比較作動信号出力手段２７において、予め記憶されている識別コードと前記コード信号とが一致するか否かを比較し、一致している場合にはアクチュエータ１２に作動信号を出力する。これにより施錠機構３はアクチュエータ１２によるロックを解除されることとなって、管理者は鍵６により施錠機構３を解放して扉体２を開放することができる。また扉体２を施錠する場合、管理者の鍵６の操作により施錠機構３を施錠して、携帯リモコン装置２２のスイッチ２４の操作により、アクチュエータ１２を遠隔操作して、施錠機構３をロックすることにより扉体２を施錠することができる。
【産業上の利用可能性】
【００３３】
本発明は、広く普及したパチンコやパチスロなどの遊技機の施錠装置に関するもので、産業上の利用性を満足するのは勿論、迅速な解錠ができると共に厳格な施錠ができる。
【図面の簡単な説明】
【００３４】
【図１】本発明の実施形態の遊技機（パチスロ）を示す斜視図である。
【図２】本実施形態の遊技機の施錠装置を示す斜視図である。
【図３】図２の要部切欠き縦断面図である。
【図４】図２の要部正面図である。
【図５】本実施形態の携帯リモコン装置の概念図である。
【図６】本実施形態の受信装置の概念図である。
【図７】本実施形態の遊技機（パチンコ）を示す斜視図である。
【図８】従来の一例の遊技機を示す斜視図である。
【符号の説明】
【００３５】
１  遊技機本体
２  扉体
３  施錠機構
４  ロック装置
５  フック体
７  カム片
８  シリンダ錠
９  フック部
１０  フック係止部
１１  ロック片
１２  アクチュエータ
１６  支持部材
１７  ビス
１８  ピン
２０  ピン係合解除手段
２１  位置センサ
２２  携帯リモコン装置
２３  受信装置
２４  スイッチ
２５  変調送信手段
２６  受信復調手段
２７  コード比較作動信号出力手段
３０  位置センサ
Ａ  施錠位置
Ｂ  解錠位置
Ｃ  干渉位置
Ｄ  解放位置
【図１】
2006161366.tif 000003
【図２】
2006161366.tif 000004
【図３】
2006161366.tif 000005
【図４】
2006161366.tif 000006
【図５】
2006161366.tif 000007
【図６】
2006161366.tif 000008
【図７】
2006161366.tif 000009
【図８】
2006161366.tif 000010